(57)【要約】【課題】木繊維交差方向の圧縮荷重が作用して木製部材がクリープ変形し易い建物を短い工期で建築したり補修することができるようにする。【解決手段】木製部材Ｂを木繊維長手方向に対して交差する木繊維交差方向の圧縮荷重が作用するように構造物に組み付けてある建物を建築又は補修する建物建築補修方法であって、木製部材を構造物に組み付ける前に、その木製部材の圧縮荷重作用予定箇所に、木繊維交差方向の変形用圧縮荷重Ｗを作用させて、クリープ変形を予め生じさせてから、構造物に組み付ける。【選択図】図３
2007154507.tif 000002
【特許請求の範囲】
【請求項１】
木製部材を木繊維長手方向に対して交差する木繊維交差方向の圧縮荷重が作用するように構造物に組み付けてある建物を建築又は補修する建物建築補修方法であって、
前記木製部材を前記構造物に組み付ける前に、その木製部材の圧縮荷重作用予定箇所に、前記木繊維交差方向の変形用圧縮荷重を作用させて、クリープ変形を予め生じさせてから、前記構造物に組み付ける建物建築補修方法。
【請求項２】
木製部材を木繊維長手方向に対して交差する木繊維交差方向の圧縮荷重が作用するように構造物に組み付けてある建物を建築又は補修する建物建築補修方法であって、
前記木繊維交差方向の変形用圧縮荷重を作用させて、クリープ変形を予め生じさせてある木材を、その変形用圧縮荷重の作用方向が前記構造物への組み付け後の圧縮荷重作用方向となるように加工して、前記木製部材を製作し、その木製部材を前記構造物に組み付ける建物建築補修方法。
【請求項３】
前記木繊維交差方向の変形用圧縮荷重を圧縮応力度が長期許容圧縮応力度以下になるように作用させて、クリープ変形を予め生じさせる請求項１又は２記載の建物建築補修方法。
【請求項４】
クリープ変形量が略最終変形量となるように前記クリープ変形を予め生じさせる請求項１〜３のいずれか１項記載の建物建築補修方法。
【請求項５】
前記構造物が斗組構造物である請求項１〜４のいずれか１項記載の建物建築補修方法。
【発明の詳細な説明】
【技術分野】
【０００１】
本発明は、木製部材を木繊維長手方向に対して交差する木繊維交差方向の圧縮荷重が作用するように構造物に組み付けてある建物を建築又は補修する建物建築補修方法に関する。
【背景技術】
【０００２】
例えば、寺社などの我が国の伝統的な木造建物では、木製部材を木繊維長手方向に対して交差する木繊維交差方向の圧縮荷重が作用するように斗組構造物に組み付けてある（例えば、特許文献１参照）が、木製部材の木繊維交差方向における圧縮クリープによる変形量は、木繊維長手方向に沿う圧縮クリープによる変形量に比べて著しく大きくなる。
このため、このような木造建物を新規に建築したり、既存の木造建物を補修する場合、従来、木製部材を構造物に組み付けた後、クリープ変形量に応じて適宜修正を加えたり、木繊維交差方向に作用する圧縮荷重によるクリープ変形量を予め予測して木製部材の寸法などを決定している。
【０００３】
【特許文献１】特開２００５−９０２２４号公報
【発明の開示】
【発明が解決しようとする課題】
【０００４】
このため、木製部材を構造物に組み付けた後クリープ変形量に応じて適宜修正を加える場合は、作業が煩雑化する欠点があり、クリープ変形量を予め予測して木製部材の寸法などを決定する場合は、クリープ変形量の予測に熟練を要する欠点があり、また、いずれの場合にしても、木製部材が構造物に馴染むまでに時間が掛かり、工期が長くなる欠点がある。
本発明は上記実情に鑑みてなされたものであって、木繊維交差方向の圧縮荷重が作用して建物に鉛直方向の不陸を生じさせないように、あるいは、木製部材がクリープ変形し易い建物を短い工期で建築したり補修することができるようにすることを目的とする。
【課題を解決するための手段】
【０００５】
本発明の第１特徴構成は、木製部材を木繊維長手方向に対して交差する木繊維交差方向の圧縮荷重が作用するように構造物に組み付けてある建物を建築又は補修する建物建築補修方法であって、前記木製部材を前記構造物に組み付ける前に、その木製部材の圧縮荷重作用予定箇所に、前記木繊維交差方向の変形用圧縮荷重を作用させて、クリープ変形を予め生じさせてから、前記構造物に組み付ける点にある。
【０００６】
〔作用及び効果〕
木製部材を構造物に組み付ける前に、その木製部材の圧縮荷重作用予定箇所に、木繊維交差方向の変形用圧縮荷重を作用させて、クリープ変形を予め生じさせてから、構造物に組み付けるので、木製部材を構造物に早期に馴染むように組み付けることができる。
従って、木製部材を構造物に組み付けた後、クリープ変形の量に応じて適宜修正を加えるような作業を特に実施することなく、建物に鉛直方向の不陸を生じさせないように、あるいは、木製部材がクリープ変形し易い建物を短い工期で建築したり補修することができる。
【０００７】
本発明の第２特徴構成は、木製部材を木繊維長手方向に対して交差する木繊維交差方向の圧縮荷重が作用するように構造物に組み付けてある建物を建築又は補修する建物建築補修方法であって、前記木繊維交差方向の変形用圧縮荷重を作用させて、クリープ変形を予め生じさせてある木材を、その変形用圧縮荷重の作用方向が前記構造物への組み付け後の圧縮荷重作用方向となるように加工して、前記木製部材を製作し、その木製部材を前記構造物に組み付ける点にある。
【０００８】
〔作用及び効果〕
木繊維交差方向の変形用圧縮荷重を作用させて、クリープ変形を予め生じさせてある木材を、その変形用圧縮荷重の作用方向が構造物への組み付け後の圧縮荷重作用方向となるように加工して、木製部材を製作し、その木製部材を構造物に組み付けるので、クリープ変形量を予め予測して木製部材の寸法などを特に決定することなく、木製部材を構造物に早期に馴染むように組み付けることができる。
従って、クリープ変形量を予測するような熟練を特に要することなく、建物に鉛直方向の不陸を生じさせないように、あるいは、木製部材がクリープ変形し易い建物を短い工期で建築したり補修することができる。
【０００９】
本発明の第３特徴構成は、前記木繊維交差方向の変形用圧縮荷重を圧縮応力度が長期許容圧縮応力度以下になるように作用させて、クリープ変形を予め生じさせる点にある。
【００１０】
〔作用及び効果〕
木繊維交差方向の変形用圧縮荷重を圧縮応力度が長期許容圧縮応力度以下になるように作用させて、クリープ変形を予め生じさせるので、木製部材や木製部材に加工する木材が破損しないように、変形用圧縮荷重を木繊維交差方向に作用させて、クリープ変形を予め生じさせることができる。
【００１１】
本発明の第４特徴構成は、クリープ変形量が略最終変形量となるように前記クリープ変形を予め生じさせる点にある。
【００１２】
〔作用及び効果〕
クリープ変形量が略最終変形量となるようにクリープ変形を予め生じさせるので、木製部材を精度良く構造物に組み付けることができる。
【００１３】
本発明の第５特徴構成は、前記構造物が斗組構造物である点にある。
【００１４】
〔作用及び効果〕
木製部材を木繊維交差方向に圧縮荷重が作用するように組み付ける構造物が、寺社建築物などの我が国の伝統的な木造建物に多用されている斗組構造物であるので、このような木造建物を短い工期で建築したり補修することができる。
【発明を実施するための最良の形態】
【００１５】
以下に本発明の実施の形態を図面に基づいて説明する。
〔第１実施形態〕
図１は、本発明による建物建築補修方法で建築又は補修する斗組構造物Ａを備えた寺社などの木造建物の要部を示し、隣り合う木製柱１の上部どうしを木製頭貫２で連結し、木製通し肘木３を、斗組構造物Ａを介して、柱頂部４に支持してある。
【００１６】
前記斗組構造物Ａは、図２に示すように、木製大斗５と木製肘木６と三つの木製巻斗７とを、木目Ｃが略重なっている方向（以下、木目重なり方向という）を上下方向に沿わせて、互いに一体に組み付けて構成してあり、大斗５を柱頂部４にダボ８で固定し、大斗５の上面側に形成してある凹溝９に肘木６の下部を嵌合してダボ１０で固定してある。
【００１７】
そして、肘木６の上面側に三つの巻斗７を並べて、各巻斗７の上面に形成してある凹溝１１に亘って通し肘木３の下部を嵌合し、各巻斗７を略鉛直方向に貫通するダボ１２で、通し肘木３と各巻斗７と肘木６とを一体に固定して、通し肘木３を、斗組構造物Ａを介して、柱頂部４に支持してある。
【００１８】
前記巻斗７の各々は、通し肘木３と肘木６とで上下に挟まれて略鉛直方向の圧縮荷重が作用しており、肘木６は、巻斗７と大斗５とで上下に挟まれて略鉛直方向の圧縮荷重が作用しており、大斗５は、肘木６と柱頂部４とで上下に挟まれて略鉛直方向の圧縮荷重が作用している。
【００１９】
従って、大斗５と肘木６と巻斗７の各々は、木繊維長手方向に対して交差する木繊維交差方向で、かつ、木目重なり方向である略鉛直方向の上部構造の重量による圧縮荷重が作用するように斗組構造物Ａに組み付けてある木製部材Ｂに対応している。
【００２０】
そして、本発明による建物建築補修方法では、前記木造建物を新規に建築するために、大斗５と肘木６と巻斗７などの木製部材Ｂを新たに組み付けて斗組構造物Ａを新設するときや、既存の前記木造建物に設けてある斗組構造物Ａを解体して補修するために、大斗５と肘木６と巻斗７などの木製部材Ｂの全部又は一部を新しい部材に交換するときに、その新設又は交換する木製部材Ｂを斗組構造物Ａに組み付ける前に、図３，図４に示すように、その木製部材Ｂの圧縮荷重作用予定箇所に、木繊維交差方向で、かつ、木目重なり方向である鉛直方向の変形用圧縮荷重Ｗを作用させて、長期圧縮クリープ変形を予め生じさせてから、斗組構造物Ａに組み付ける。
【００２１】
つまり、斗組構造物Ａに組み付けたときに木繊維交差方向で、かつ、木目重なり方向に作用する圧縮荷重によるクリープ変形量を予め予測して木製部材Ｂの寸法を決定し、その寸法で製作した木製部材Ｂに、斗組構造物Ａに組み付けた際に作用する圧縮荷重の作用方向と略同じ方向の変形用圧縮荷重Ｗを圧縮応力度が長期許容圧縮応力度以下、例えば、木製部材Ｂの材質が桧の場合は２．４５ＭＰａ以下になるように数年に亘って作用させて、クリープ変形を予め生じさせてから、斗組構造物Ａに組み付ける。
【００２２】
具体的には、大斗５や巻斗７の場合は、図３に示すように、凹溝９（１１）の底面に変形用圧縮荷重Ｗを略等分布で作用させ、肘木６の場合は、図４に示すように、各巻斗７が載る部分に変形用圧縮荷重Ｗを等分布で作用させる。
この場合、クリープ変形量が略最終変形量となるようにクリープ変形を予め生じさせるのが望ましい。
【００２３】
〔第２実施形態〕
本発明による建物建築補修方法の別実施形態では、第１実施形態で示した木造建物を新規に建築するために、大斗５と肘木６と巻斗７などの木製部材Ｂを新たに組み付けて斗組構造物Ａを新設するときや、第１実施形態で示した木造建物が既存の木造建物であって、その既存の木造建物に設けてある斗組構造物Ａを解体して補修するために、大斗５と肘木６と巻斗７などの木製部材Ｂの全部又は一部を新しい部材に交換するときに、図５に示すように、木繊維交差方向で、かつ、木目重なり方向である鉛直方向の変形用圧縮荷重Ｗを作用させて、長期圧縮クリープ変形を予め生じさせてある木材Ｄを、その変形用圧縮荷重Ｗの作用方向が斗組構造物Ａへの組み付け後の圧縮荷重作用方向となるように加工して、その新設又は交換する木製部材Ｂを製作し、その木製部材Ｂを斗組構造物Ａに組み付ける。
【００２４】
つまり、木製部材Ｂの材料にする木材（角材）Ｄに木繊維交差方向で、かつ、木目重なり方向である鉛直方向の変形用圧縮荷重Ｗを圧縮応力度が長期許容圧縮応力度以下、例えば、木製部材Ｂの材質が桧の場合は２．４５ＭＰａ以下になるように数年に亘って作用させて、クリープ変形を予め生じさせ、その木材Ｄを、その変形用圧縮荷重Ｗの作用方向が斗組構造物Ａへの組み付け後の圧縮荷重作用方向となるように、大斗５や肘木６や巻斗７に加工して、その新設又は交換する木製部材Ｂを製作する。
【００２５】
この場合、クリープ変形量が略最終変形量となるようにクリープ変形を予め生じさせるのが望ましい。
その他の構成は第１実施形態と同様である。
【００２６】
〔その他の実施形態〕
１．本発明による建物建築補修方法は、木繊維長手方向に対して交差する木繊維交差方向で、かつ、木目重なり方向に対して交差する方向の圧縮荷重が作用するように木製部材を構造物に組み付けてある建物に使用しても良い。
２．本発明による建物建築補修方法を使用する建物は、寺社などの木造建物に限定されるものではなく、木製部材を木繊維長手方向に対して交差する木繊維交差方向の圧縮荷重が作用するように各種構造物に組み付けてある建物であれば民家や公共建物などであっても良く、その建築材料や建築様式は限定されない。
【図面の簡単な説明】
【００２７】
【図１】建物の要部を示す一部断面側面図
【図２】建物の要部を示す分解斜視図
【図３】建物建築補修方法の説明図
【図４】建物建築補修方法の説明図
【図５】第２実施形態の建物建築補修方法の説明図
【符号の説明】
【００２８】
Ａ  構造物（斗組構造物）
Ｂ  木製部材
Ｄ  木材
Ｗ  変形用圧縮荷重
【図１】
2007154507.tif 000003
【図２】
2007154507.tif 000004
【図３】
2007154507.tif 000005
【図４】
2007154507.tif 000006
【図５】
2007154507.tif 000007